(57)【特許請求の範囲】
【請求項１】
間隙を隔てて一方の建物躯体に固定されて他方の建物躯体側に延びるホルダを取り付け、このホルダに上記間隙を覆うカバー材を固定して成るエキスパンションジョイントにおいて、
上記ホルダは、その一端が上記一方の建物躯体に固定されて上記間隙から遠ざかる方向に延出された後、折り返されて成るバネ部を備え、このバネ部からさらに他方の建物躯体側に連続して延びて他端が上記他方の建物躯体に圧接された
ことを特徴とするエキスパンションジョイント。
【請求項２】
前記ホルダは、前記一方の建物躯体の固定部に固定されて上記間隙から遠ざかる方向に延出した後、折り返されて他方の建物躯体側に延びる金属バネ部材と、前記他方の建物躯体に圧接する金属部材とを一体に結合したものである、請求項１記載のエキスパンションジョイント。
【請求項３】
前記ホルダを、長手方向に摺動溝を有するとともに、前記カバー材を固定する金属部材と、この金属部材の両端から挿入固定された金属バネ部材とから構成し、一方の金属部材は前記一方の建物躯体に固定されて上記間隙から遠ざかる方向に延出された後、折り返されて成り、他方の金属バネ部材は前記他方の建物躯体に圧接された、請求項１記載のエキスパンションジョイント。
【請求項４】
前記バネ部には複数の折り曲げ部を形成した、請求項１、２又は３に記載のエキスパンションジョイント。
【請求項５】
前記ホルダは、予め前記バネ部の折り返し部の角度を、前記一方の建物躯体に固定したときに想定される角度よりも小さく形成しておく、請求項１、２、３又は４に記載のエキスパンションジョイント。
【発明の詳細な説明】
【０００１】
【発明の属する技術分野】
本発明は構造が単純で強度にも優れたエキスパンションジョイントに関する。
【０００２】
【従来技術とその問題点】
一般に、エキスパンションジョイントは建物躯体間の間隙をカバー材で塞ぐときには、まず各建物躯体に支持部材を固定し、これらの支持部材にホルダを取り付け、さらにホルダに上記間隙を塞ぐカバー材を取りつける構成であった。このため、カバー材を取りつける構成が複雑になり、コストも高かった。
【０００３】
これに対し、実公平２−４５３６３号公報に示されるように、直接にホルダを建物躯体に固定するものも知られている。
【０００４】
しかし、この場合は全体がバネの施工であるが、カバー材を建物躯体に圧接させる力が不足し、全体がバネのホルダにカバー材を係合するためカバー材の確実な取付施工に難が生じており、またカバー材を強く建物躯体上に保持することはできなかった。
【０００５】
【発明が解決しようとする課題】
本発明は上記問題点を解消し、構造が簡単で、低コストで施工でき、施工でき、しかもホルダおよびカバー材の保持強度も十分なエキスパンションジョイントを提供することをその課題とする。
【０００６】
【課題を解決するための手段】
前記課題を解決するため、本発明に係るエキスパンションジョイントは、間隙を隔てて一方の建物躯体に固定されて他方の建物躯体側に延びるホルダを取り付け、このホルダに上記間隙を覆うカバー材を固定して成るエキスパンションジョイントにおいて、上記ホルダは、その一端が上記一方の建物躯体に固定されて上記間隙から遠ざかる方向に延出された後、折り返されて成るバネ部を備え、このバネ部からさらに他方の建物躯体側に連続して延びて他端が上記他方の建物躯体に圧接されたことを特徴とする。
【０００７】
なお、前記ホルダは、前記一方の建物躯体の固定部に固定されて上記間隙から遠ざかる方向に延出した後、折り返されて他方の建物躯体側に延びる金属バネ部材と、前記他方の建物躯体に圧接する金属部材とを一体に結合したものであるのが好ましい。
【０００８】
また、前記ホルダを、長手方向に摺動溝を有するとともに、前記カバー材を固定する金属部材と、この金属部材の両端から挿入固定された金属バネ部材とから構成し、一方の金属部材は前記一方の建物躯体に固定されて上記間隙から遠ざかる方向に延出された後、折り返されて成り、他方の金属バネ部材は前記他方の建物躯体に圧接されるようにするのが望ましい。
【０００９】
さらに、前記バネ部には複数の折り曲げ部を形成するのがよい。
【００１０】
また、前記ホルダは、予め前記バネ部の折り返し部の角度を、前記一方の建物躯体に固定したときに想定される角度よりも小さく形成しておくのが望ましい。
【００１１】
【発明の実施の形態】
この発明は、間隔を隔てた入隅躯体および平面躯体を構成し、床、壁、天井、屋根等の各躯体にホルダとカバー材を用いるエキスパンションジョイントのものである。
【００１２】
入隅躯体の例を以下図１において説明する。符号１は一方の建物躯体で壁躯体である。２は他方の建物躯体、Ｓは建物躯体１、２間の間隙である。上記建物躯体１、２にはホルダ３を介してカバー材４が取り付けられて上記間隙Ｓを覆っている。
【００１３】
上記両建物躯体１、２には間隙Ｓの内側を覆う止水板５を取りつけるための取り付け部材６が固定され、各取り付け部材６に形成した嵌合溝７に止水板５の両側端の膨出部が圧入嵌合している。なお、壁躯体１の取り付け部材６にはホルダ３の一方を位置決めする位置決め片８が突出している。
【００１４】
上記ホルダ３は、その一端３ａを上記一方の建物躯体１に固定して上記間隙Ｓから遠ざかる方向に延出した後、折り返して垂下した下方をさらに間隙Ｓの幅方向に折曲げ、他方の建物躯体２側に連続して延出させ、延出した他端３ｂを上記他方の建物躯体２に接触させて形成して成るもので、金属バネ部材９と金属部材１０とから構成されている。
【００１５】
金属バネ部材９は、壁躯体１に沿って上記間隙Ｓから遠ざかる方向（上方）に延出した後、下方に折り返された第一部位の折り返し部１４から垂下した下方を、さらに上記間隙Ｓの幅方向に折り曲げられた第二部位の折り返し部１６から他方の建物躯体２側に延びる部分で、バネ効力が働くようバネ部ａを構成している。金属バネ部材９には、図２のように、その長手方向（間隙Ｓの幅方向）に沿ってリブ１１が両サイドに形成されてバネ部ａ全体を補強している。なお、リブ１１はバネ効力の剛性を高めたい長さおよび箇所を任意に選定する他、リブ１１を設ける代わりに金属バネ材自体を厚肉に形成してもよい。
【００１６】
金属部材１０は他方の建物躯体２に圧接する部分を構成するもので、一方の端部１０ａはＺ字形に形成されて上記金属バネ部材９の端部に重合し、他方の端部３ｂは鈍角に屈曲形成されている。金属部材１０はアルミニウムの押出材や鉄のロールフォーミング材などの種々の加工によって、好ましくは金属バネ部材９よりも剛性を高めた構成とすればよい。他の例も同じである。
【００１７】
金属バネ部材９と金属部材１０の重合端部とはリベット、ビス等の止具１２で一体に結合されている。
【００１８】
そして、上記ホルダ３の片方側は金属バネ部材９の一端を上記止水板５の取り付け部材６に重合してボルト、ビス等の止具１３で固定されている。このとき、金属部材１０の端部３ｂを他方の建物躯体２に圧接するようにする。
【００１９】
上記ホルダ３は、図２、図３に示すように予めバネ部ａを、２字形など第一部位とする折り返し部１４および第二部位とする折り返し部１６の角度を、図１に示すように取付施工後は、上記一方の建物躯体１に上記止具１２で固定したときに想定される角度よりも小さく形成しておく。これにより、ホルダ３の取り付け時には、上記一方の建物躯体１に固定したとき金属バネ部材９の特に上記部位のバネ効力によって、上記他端３ｂが上記他方の建物躯体１に圧接することになる。
【００２０】
上記ホルダ３を取りつけるにあたっては、一端３ａを壁躯体１の取り付け部材６に重合させ、止具１２にて固定する。このとき、取り付け部材６の位置決め片８に上記ホルダ３の一端を係合させる。また、ホルダ３には予め取り付け部材６固定用ボルト１３を取付ける小孔１５とドライバを挿入できる作業用大孔１５ａを予め開口しておく。このようにしてホルダ３の一端を固定すると、ホルダ３は壁躯体１に沿って上記間隙Ｓから遠ざかる方向（上方）に延出した後、第一部位で特にバネ効力が働くように下方に折り返された折り返り部１４とこの下方に垂下し、上記間隙Ｓの幅方向に折り曲げられさらに第二部位のバネ効力が働くように構成した折り返り部１６と、この折り返り部１６から他方の建物躯体２側に連続して延出した連継部に、さらに金属部材１０の片方を連継し、この金属部材１０の他端３ｂは他方の躯体２に圧接される。
【００２１】
上記ホルダ３は上記間隙Ｓに沿って一定の間隔で配置される。なお、ホルダ３の金属部材１０が他方の躯体２に圧接する端部には、取り付け部材６を固定するボルト、ビス等の止具１３の頭部に係合するのを避けるための凹状切欠き部１７が形成されている。
【００２２】
次に、間隙Ｓの長手方向に離間して取付けられたホルダ３の金属部材１０には、長尺のカバー材４で覆い、ビス等の止具１８によって固定する。カバー材４は断面略Ｌ字形でこの側縁は鈎状に屈曲形成され、両側端には気密材１９が嵌着されて各建物躯体１、２の表面に当接されている。
【００２３】
上記構成によれば、ホルダ３の第一部位の折り曲げ部１４のバネ部ａは、壁躯体１に沿って建物躯体間の間隙Ｓから上方に延出し、下方に折り返された垂下部から、さらに上記間隙Ｓの幅方向に折り曲げられる第二部位の折り曲げ部１６から、複合的に弾力がよく効き、例えば温度変化、不同沈下、震動等によって建物躯体１、２が接近、離間方向に変位したときはもちろん、図４のように建物躯体１、２が間隙Ｓの深さ方向にずれるように変位した場合も、カバー材４はホルダ３の第一部位と第一部位の折り曲げ部１４、１６のバネ部ａによって確実に保持される。特に、バネ部ａの変形は撓み変形であるが、バネ部ａの折り曲げ部１４、１６は２個所あり、これら複合の折り曲げ部１４、１６の上記リブ１１のバネ効力を付加したので更に撓みにくいので、全体として強い弾力となり、カバー材４に対する保持力が大きい。このように、金属バネ部材９のバネ部ａには複数の折り曲げ部１４、１６を形成すると共に、材質を異にした金属部材１０との組合わせ構成したバネ部ａの適材適所の配置をするのが好ましい。
【００２４】
また、金属バネ部材９の端部と金属部材１０の端部との重合は、図５及び図８のように、上下反対の取付け配置にしてもよい。
【００２５】
次に、図６は、同じ形状の建物躯体２、２が間隙Ｓを隔てて平面状に相対して設置されている場合の例である。Ｓは建物躯体２、２間の間隙Ｓである。上記建物躯体２、２にはホルダ３を介してカバー材４が取り付けられて上記間隙Ｓを覆っている。
【００２６】
上記両建物躯体２、２には間隙Ｓの内側を覆う止水板５を取りつけるための取り付け部材６が固定され、各取り付け部材６に形成した嵌合溝７に止水板５の両側端が嵌合している。
【００２７】
上記ホルダ３は、施工前の元のホルダ形状（破線で図示した形状）の一端３ａを上記一方の建物躯体２に固定して上記間隙Ｓから遠ざかる方向に延出した後、折り返し部１４で折り返して他方の建物躯体２側に連続して延出させ、延出した他端３ｂを上記他方の建物躯体２に接触させて形成して成る実線で図示した施工後のもので、金属バネ部材９と金属部材１０とから止具１２で接続し一体的に構成されている。
【００２８】
金属バネ部材９は、し字形、Ｕ字形等に第一部位又は第二部位の折り曲げ部１４、１６を得て折り返された複数のバネ部ａを構成している。金属バネ部材９にも、前述のように、その長手方向（間隙Ｓの幅方向）に沿ってリブ１１が形成されて、さらに撓み効力を高め且つ撓み効力の耐久維持を補強されている。
【００２９】
金属部材１０は、上記金属バネ部材９の撓み効力のバネ部ａよりやや全体を強く支持可能に、他方の建物躯体２に圧接する部分を構成するもので、一方の端部１０ａはＺ字形に形成されて上記金属バネ部材９の端部に重合し、他方の端部３ｂは鈍角に屈曲形成されている。
【００３０】
金属バネ部材９と金属部材１０の重合端部とはリベット、ビス等の止具１２で一体に結合されている。
【００３１】
そして、上記ホルダ３は金属バネ部材９の一端を上記止水板５の取り付け部材６に重合してボルト、ビス等の止具１３で躯体２に固定されている。このとき、金属部材１０の他方の端部３ｂを他方の建物躯体２に圧接するようにする。
【００３２】
この場合も、上記ホルダ３は、図６に点線で示すように、予め前記金属バネ部材９のバネ部ａは第一部位と第二部位を図３より近接して撓み効力を高め、さらに、リブ１１の付加とともに大きな撓み効力を高め備えるように複合的に配置した複数の折り返し部１４、１６の角度を、前記一方の建物躯体２に固定したときに想定される角度よりも小さく形成しておく。これにより、ホルダ３の取り付け時には、上記一方の建物躯体３に固定したときに、上記他端３ｂが上記他方の建物躯体２に圧接することになる。
【００３３】
上記ホルダ３を取りつけるにあたっては、金属バネ部材９の一端３ａを建物躯体２の取り付け部材６に重合させてビス等の止具１３で躯体２に固定する。このようにしてホルダ３の一端３ａを固定すると、ホルダ３は建物躯体２に沿って上記間隙Ｓから遠ざかる方向に延出した後、逆方向に折り返され、さらに上記間隙Ｓの幅方向に折り曲げられて他方の建物躯体２側に連続して延出し、延出した金属部材１０の他端３ｂは他方の躯体２に撓み効力を維持しながら圧接される。
【００３４】
上記ホルダ３は上記間隙Ｓに沿って一定の間隔で配置される。なお、ホルダ３の金属部材１０が他方の躯体２に圧接する端部３ｂにも、上述のホルダ３と同様に、取り付け部材６を固定するボルトの頭部に係合するのを避けるための凹状切欠き部１７が切欠き形成されている。
【００３５】
次に、ホルダ３の金属部材１０にはカバー材４で覆い、ビス等の止具１８によって固定する。カバー材４は断面略Ｃ字形に屈曲形成され、両側端には気密材１９が嵌着されて各建物躯体２、２の表面に当接されている。
【００３６】
上記構成によれば、ホルダ３の金属バネ部材９のバネ部ａは建物躯体２に沿って建物躯体間の間隙Ｓから遠ざかる方向に延出した後、第一部位および第二部位の複数の折り曲げ部１４、１６で逆方向に折り返されるから、複合的な弾力がよく効き、例えば温度変化、不同沈下、震動等によって図７のように建物躯体２、２が上下方向に変位したときは、カバー材４はホルダ３の金属バネ部材９のバネ部ａによって第一部位と第二部位を図３より近接して撓み効力を高め、さらに、リブ１１の付加とともに大きな撓み効力を高めるように複合的に配置した複数のバネ部ａによって確実に保持される。建物躯体２、２が互いに近接し、あるいは離間したときも同様に対応できる。この場合も、複合的に配置した複数の折り曲げ部１４、１６は撓み効力と撓み力の維持を高めたので、全体として強い弾力となり、カバー材４に対する保持力が大きい。
【００３７】
なお、図８に示されるように、金属部材１０の一部２０を金属バネ部材９の折り返し部１４に続く部位２１の全面に重合するようにホルダ３の片方側の強度を強くなるように適材適所の構成に形成してもよい。
【００３８】
また、図９及び図１０に示されるように、ホルダ３を、長手方向に摺動溝２２を有するとともに前記カバー材４を固定する金属部材１０と、この金属部材１０の両端から挿入固定された金属バネ部材９Ａ、９Ｂとから構成してもよい。一方の金属バネ部材９Ａは前記一方の建物躯体２に固定されて上記間隙Ｓから遠ざかる方向に延出された後、第一部位と第二部位の折り返された複数の折り曲げ部１４、１６から成り、他方の金属バネ部材９Ｂは他方の建物躯体２に圧接されるように屈曲形成されている。なお、金属バネ部材９Ａ、９Ｂと金属部材１０とはカシメにより一体的な加工にて固定すればよい。
【００３９】
図１１のように、建物躯体１、２が入隅部を形成する場合もカバー材４とホルダ３を略Ｚ字形に変わる構成の他は同様にすればよい。
【００４０】
なお、ホルダ３は、全部が金属バネ部材９によって形成されてもよい。
【００４１】
【発明の効果】
請求項１に係る発明によれば、ホルダは、その一端が上記一方の建物躯体に固定されて上記間隙から遠ざかる方向に延出された後、折り返されて成るバネ部を備え、このバネ部の弾力によってホルダを他方の建物躯に強く圧接することができるので、構造が簡単で低コストを可能とするとともに確実な施工と取付けの省力化ができ、しかもカバー材４の保持強度も十分なエキスパンションジョイントを提供することができる。
【００４２】
請求項２に係る発明によれば、ホルダは、一方の建物躯体の固定部に固定されて建物躯体間の間隙から遠ざかる方向に延出した後、折り返されて他方の建物躯体側に延びる金属バネ部材と、他方の建物躯体に圧接する金属部材とを一体に結合したものである。このように、全部が同一材質のホルダから成るわけではないので、コストを低く抑えることと共に、複合的に配置した複数の折り曲げ部１４、１６は撓み効力と撓み力の維持を高めた適材適所の効能を備えるので、全体として強い弾力となり、カバー材４に対する変位保持力が大きい。
【００４３】
請求項３に係る発明によれば、ホルダを、長手方向に摺動溝を有するとともに、前記カバー材を固定する金属部材と、この金属部材の両端から挿入固定された金属バネ部材とから構成し、一方の金属部材は前記一方の建物躯体に固定されて上記間隙から遠ざかる方向に延出された後、折り返されて成り、他方の金属バネ部材は前記他方の建物躯体に圧接された構成であるから、建物躯体間の間隙が大きい場合にもホルダの保持力を高く得た対応ができる。
【００４４】
請求項４に係る発明によれば、バネ部には複数の折り曲げ部を形成したことにより、第一部位と第二部位の各折り曲げ部は複合的に大きな撓み効力を高め、全体として強い弾力となり、カバー材に対する保持力が大きい。
【００４５】
請求項５に係る発明によれば、ホルダは、予め前記バネ部の折り返し部の角度を、前記一方の建物躯体に固定したときに想定される角度よりも小さく形成しておく。これにより、ホルダの取付け施工後には、上記一方の建物躯体に固定したときにホルダの食い付き撓み力を高め、ホルダおよびカバー材の他端が上記他方の建物躯体に圧接することになる。
【図面の簡単な説明】
【図１】本発明に係るエキスパンションジョイントを示す縦断面図
【図２】ホルダの金属バネ部材の斜視図
【図３】ホルダの取り付け前の側面図
【図４】建物躯体がずれるように変位した場合のエキスパンションジョイントの断面図
【図５】ホルダの他の例の側面図
【図６】同じ形状の建物躯体が相対して設置されている場合の例の断面図
【図７】建物躯体が変位した状態を示す断面図
【図８】他のホルダの例の断面図
【図９】他の例のエキスパンションジョイントの断面図
【図１０】ホルダの他の例を示す斜視図
【図１１】入隅部の例を示す断面図
【符号の説明】
１、２  建物躯体
３  ホルダ
４  カバー材
９  金属バネ部材
【図１】
0003741267.tif 000002
【図２】
0003741267.tif 000003
【図３】
0003741267.tif 000004
【図４】
0003741267.tif 000005
【図５】
0003741267.tif 000006
【図６】
0003741267.tif 000007
【図７】
0003741267.tif 000008
【図８】
0003741267.tif 000009
【図９】
0003741267.tif 000010
【図１０】
0003741267.tif 000011
【図１１】
0003741267.tif 000012